(57)【要約】【課題】レンズ交換式であっても、マニュアルフォーカス操作により、より精度良くフォーカスを合わせることができるとともに、使い勝手を向上させたカメラ本体を提供する。【解決手段】カメラコントローラーは、第１の交換レンズが装着された状態で、カメラコントローラー６がフォーカスリングが操作された旨を示す情報を取得した場合、その情報を取得したときから所定時間が経過するまで画像を拡大して表示し、所定時間経過後に元の大きさに戻して表示するよう液晶モニタ１０を制御する。一方、カメラコントローラー６は、十字釦４５の左キーを介して画像拡大指示を受け付けた場合、その指示が解除されるまで画像を継続して拡大表示するよう液晶モニタ１０を制御する。【選択図】図４
2010141778.tif 000002
【特許請求の範囲】
【請求項１】
光学系で形成する被写体像のフォーカス状態を変更するためのフォーカスリングが操作された旨を示す情報を出力可能な第１の交換レンズ、及びフォーカスリングが操作された旨の情報を出力しない第２の交換レンズを択一的に着脱可能なカメラ本体であって、
前記第１の交換レンズまたは前記第２の交換レンズが装着された状態で、前記第１の交換レンズまたは前記第２の交換レンズにより形成された被写体像を撮像し画像データを生成する撮像手段と、
前記生成された画像データに基づく画像を表示する表示手段と、
前記生成された画像データに基づく画像を拡大して表示する旨の画像拡大指示を受け付ける拡大指示受付手段と、
前記第１の交換レンズが装着された状態で、前記フォーカスリングが操作された旨を示す情報を前記第１の交換レンズから取得する情報取得手段と、
前記第１の交換レンズが装着された状態で、前記情報取得手段が前記フォーカスリングが操作された旨を示す情報を取得した場合、その情報を取得したときから所定時間が経過するまで画像を拡大して表示し、前記所定時間経過後に元の大きさに戻して表示するよう前記表示手段を制御する一方、前記拡大指示受付手段が前記画像拡大指示を受け付けた場合、その指示が解除されるまで画像を継続して拡大表示するよう前記表示手段を制御する表示制御手段と、
を備えるカメラ本体。
【発明の詳細な説明】
【技術分野】
【０００１】
本発明は、使用状況に応じた表示手段の表示切り替え可能な撮像装置に関する。特にマニュアルフォーカスにより表示手段の表示切り替え可能な撮像装置に関する。
【背景技術】
【０００２】
特許文献１は、使用者がマニュアルフォーカス操作を行った際に、表示部に表示されている画像を所定の倍率で拡大表示するデジタルカメラを開示している。
【０００３】
また、そのような場合に、一旦拡大表示した画像を所定時間経過後に元の画像に戻すデジタルカメラも実用化されている。
【０００４】
このような従来のデジタルカメラによれば、マニュアルフォーカス操作により、より精度良くフォーカスを合わせることができるとともに、フォーカス操作を終了後は自動で表示画像が戻るので使い勝手が良い。
【特許文献１】特許第４０５０３８５号公報
【発明の開示】
【発明が解決しようとする課題】
【０００５】
しかしながら、レンズ交換式のカメラでは以下のような不都合が生じる場合がある。すなわち、交換レンズには種々の種類があり、マニュアルフォーカス操作に関する情報をカメラ本体に送信しないものもある。そのような交換レンズを装着した場合、例えカメラ本体側に表示画像拡大機能を備えていたとしても、マニュアルフォーカス操作時に画像拡大することができず、より精度良くフォーカスを合わせることができるという効果を奏することができない。
【０００６】
そこで、本発明は、レンズ交換式であっても、マニュアルフォーカス操作により、より精度良くフォーカスを合わせることができるとともに、使い勝手を向上させたカメラ本体を提供することを目的とする。
【課題を解決するための手段】
【０００７】
上記課題を解決するために本発明に係る撮像装置は、光学系で形成する被写体像のフォーカス状態を変更するためのフォーカスリングが操作された旨を示す情報を出力可能な第１の交換レンズ、及びフォーカスリングが操作された旨の情報を出力しない第２の交換レンズを択一的に着脱可能なカメラ本体であって、第１の交換レンズまたは第２の交換レンズが装着された状態で、第１の交換レンズまたは第２の交換レンズにより形成された被写体像を撮像し画像データを生成する撮像手段と、生成された画像データに基づく画像を表示する表示手段と、生成された画像データに基づく画像を拡大して表示する旨の画像拡大指示を受け付ける拡大指示受付手段と、第１の交換レンズが装着された状態で、フォーカスリングが操作された旨を示す情報を第１の交換レンズから取得する情報取得手段と、第１の交換レンズが装着された状態で、情報取得手段がフォーカスリングが操作された旨を示す情報を取得した場合、その情報を取得したときから所定時間が経過するまで画像を拡大して表示し、所定時間経過後に元の大きさに戻して表示するよう表示手段を制御する一方、拡大指示受付手段が画像拡大指示を受け付けた場合、その指示が解除されるまで画像を継続して拡大表示するよう表示手段を制御する表示制御手段と、を備える。
【発明の効果】
【０００８】
本発明の撮像装置によれば、レンズ交換式であっても、マニュアルフォーカス操作により、より精度良くフォーカスを合わせることができるとともに、使い勝手を向上させることができる。
【発明を実施するための最良の形態】
【０００９】
以下、添付図面を参照して本発明の好適な実施の形態を詳細に説明する。
【００１０】
〔実施の形態１〕
本発明は例えばデジタルカメラ等の撮像する装置に適用できる。以下図面を用いて、デジタルカメラに適用した本発明の実施の形態１について説明する。
【００１１】
〔１．    構成〕
〔１−１．    概要〕
図１は、本発明の実施の形態１に係るカメラシステム１の電気的構成を示すブロック図である。カメラシステム１は、カメラ本体２とそれに着脱可能な交換レンズ３１とから構成される。カメラシステム１は、ＣＣＤイメージセンサー３で生成された画像データに基づいて、コントラスト方式のオートフォーカス動作が可能である。
【００１２】
〔１−２．    カメラ本体の構成〕
カメラ本体２は、ＣＣＤイメージセンサー３と、液晶モニタ１０と、電子ビューファインダー９（ＥＶＦ）と、カメラコントローラー６と、ボディマウント１７と、前ダイヤル１４と、レリーズ釦１３と、電源１６と、カードスロット１１とを備える。
【００１３】
カメラコントローラー６は、レリーズ釦１３等の操作部材からの指示に応じて、ＣＣＤイメージセンサー３等のカメラシステム１全体を制御する。カメラコントローラー６は垂直同期信号をタイミング発生器４（ＴＧ）に送信する。これと並行して、カメラコントローラー６は、垂直同期信号に基づいて露光同期信号を生成する。カメラコントローラー６は、生成した露光同期信号を、ボディマウント１７及びレンズマウント１８を介して、レンズコントローラー２３に周期的に繰り返して送信する。カメラコントローラー６は、制御動作や画像処理動作の際に、ＤＲＡＭ７をワークメモリとして使用する。カメラコントローラー６は、ハードワイヤードな電子回路で構成してもよいし、プログラムを用いたマイクロコンピューターなどで構成してもよい。また、画像処理部やワークメモリとは同一の半導体チップで構成しても別個でもよい。
【００１４】
ＣＣＤイメージセンサー３は、交換レンズ３１を介して入射される被写体像を撮像して画像データを生成する。生成された画像データは、ＡＤコンバーター５でアナログ形式のデータからデジタル形式のデータに変換される。ＡＤコンバーター５でデジタル化された画像データは、カメラコントローラー６で各種の画像処理が施される。ここで言う各種の画像処理とは、例えば、ガンマ補正処理、ホワイトバランス補正処理、キズ補正処理、ＹＣ変換処理、電子ズーム処理、ＪＰＥＧ圧縮処理等であるが、これらに限定されるものではない。また本発明においては、ＣＣＤイメージセンサー３に代えて、例えばＣＭＯＳイメージセンサーやＮＭＯＳイメージセンサーなど、他の撮像素子を用いても良い。
【００１５】
ＣＣＤイメージセンサー３は、タイミング発生器４（ＴＧ）で制御されるタイミングで動作する。タイミング発生器４で制御されるＣＣＤイメージセンサー３の動作は、静止画像の撮像動作、スルー画像の撮像動作、データ転送動作、電子シャッター動作等がある。スルー画像は主に動画像であり、静止画像の撮像のための構図を決めるために液晶もモニタ１０や電子ビューファインダー９（ＥＶＦ）に表示されるものである。
【００１６】
液晶モニタ１０は、カメラ本体２の背面に配置されるものであり、カメラコントローラー６で処理された表示用の画像データが示す画像を表示する。液晶モニタ１０は、動画像も静止画も選択的に表示可能である。また、画像の他、カメラシステム１全体の設定条件等を表示可能である。本実施例では、表示手段の一例として液晶モニタ１０を示すが、本発明はこれに限らない。例えば、有機ＥＬディスプレイ等の表示手段を用いてもよい。
【００１７】
電子ビューファインダー９（ＥＶＦ）は、カメラ本体２の背面上部に配置されるものであり、液晶モニタ１０と同様に、カメラコントローラー６で処理された表示用の画像データが示す画像を表示する。
【００１８】
液晶モニタ１０と電子ビューファインダー９（ＥＶＦ）への表示は同時に行ってもよいし、一方に切替表示できるようにしてもよい。同時表示する場合、液晶モニタ１０に表示する画像と電子ビューファインダー９に表示する画像は同一でも異なっても構わない。
【００１９】
フラッシュメモリ８は、画像データ等を記憶するための内部メモリとして機能する。またカメラコントローラー６が制御を行う際に使用するプログラムやパラメータを保存する。
【００２０】
カードスロット１１は、メモリカード１２を着脱可能な接続手段である。カードスロット１１は、メモリカード１２を電気的及び機械的に接続可能である。また、カードスロット１１は、メモリカード１２を制御する機能を備えてもよい。
【００２１】
メモリカード１２は、内部にフラッシュメモリ等の記憶手段を備えた外部メモリである。メモリカード１２は、カメラコントローラー６で処理された画像データ等のデータを記憶可能である。また、メモリカード１２は、内部に記憶する画像データ等のデータを出力可能である。メモリカード１２から出力された画像データはカメラコントローラー６で処理され、例えば液晶モニタ１０等に再生表示される。本実施例では、外部メモリの一例としてメモリカード１２を示すが、本発明はこれには限らない。例えば、光ディスク等の記憶媒体を外部メモリとしてもよい。
【００２２】
電源１６は、カメラシステム１で消費するための電力を供給する。電源１６は、例えば乾電池であってもよいし、充電池であってもよい。また電源コードにより外部から供給される電力をカメラシステム１に供給されるものであってもよい。
【００２３】
レリーズ釦１３は、カメラ本体２上部に配置されている。使用者はレリーズ釦１３を押下操作することにより、静止画撮像等の動作を実行できる。レリーズ釦１３の押下操作には、半押操作と全押操作の二段階操作が含まれる。
【００２４】
前ダイヤル１４は、カメラ本体２の例えば前部に配置されている。使用者は前ダイヤル１４をダイヤル操作することにより、各種パラメータを変更できる。各種パラメータは、例えば、絞り値、シャッタースピード、露出補正値等が含まれる。また使用者が前ダイヤル１４をダイヤル操作することにより、後述する十字釦４５に含まれる右釦と左釦に対応した動作が実行できてもよい。更には、使用者が前ダイヤル１４をダイヤル操作することで、液晶モニタ１０や電子ビューファインダー９に再生表示される画像データの拡大倍率を変更できるようにしてもよい。
【００２５】
ボディマウント１７は、交換レンズ３１のレンズマウント１８と機械的及び電気的に接続可能である。ボディマウント１７は、レンズマウント１８を介して、カメラ本体２と交換レンズ３１との間でデータを送受信可能である。ボディマウント１７は、カメラコントローラー６から受信した露光同期信号やその他制御信号を、レンズマウント１８を介してレンズコントローラー２３に送信する。また、ボディマウント１７は、レンズマウント１８を介してレンズコントローラー２３から受信した信号をカメラコントローラー６に送信する。また、ボディマウント１７は、電源１６から受けた電力をレンズマウント１８を介して交換レンズ３１全体に供給する。
【００２６】
〔１−３．    交換レンズの構成〕
交換レンズ３１は、光学系とレンズコントローラー２３と、レンズマウント１８とを備える。交換レンズ３１の光学系は、ズームレンズ２０、ＯＩＳレンズ２４、フォーカスレンズ２７を含む。
【００２７】
ズームレンズ２０は、交換レンズ３１の光学系で形成される被写体像の倍率を変化させるためのレンズである。ズームレンズのレンズ構成は何枚でも何郡でもよい。ズームリング１９は交換レンズ３１の外装に設けられている。ズームリング１９は、使用者による操作をズームレンズ２０に伝える。この操作によりズームレンズ２０は光学系の光軸方向に移動する。ズームレンズ検出部２１はズームレンズ２０の移動量を検出する。レンズコントローラー２３は、ズームレンズ検出部２１における検出結果を取得することにより、光学系におけるズーム倍率を把握することができる。レンズコントローラー２３が把握したズーム倍率はレンズマウント１８を介してカメラコントローラー６に送信される。
【００２８】
ＯＩＳレンズ２４は、交換レンズ３１の光学系で形成される被写体像のぶれを補正するためのレンズである。ＯＩＳレンズのレンズ構成は何枚でも何群でもよい。ＯＩＳレンズ２４は、カメラシステム１のぶれを相殺する方向に移動することで、ＣＣＤイメージセンサー３上の被写体像のぶれを小さくする。ＯＩＳレンズ２４はジャイロセンサー等のぶれ検出器の検出結果に基づいてＯＩＳ駆動部２５の動作により移動する。ＯＩＳ駆動部２５は、レンズコントローラー２３からぶれ検出器の検出結果を得る。また、ＯＩＳ駆動部２５は、レンズコントローラー２３に対して、光学的像ぶれ補正処理の状態を示す信号を送信する。レンズコントローラー２３が受信した光学的像ぶれ補正処理の状態を示す信号はレンズマウント１８を介してカメラコントローラー６に送信される。
【００２９】
フォーカスレンズ２７は、光学系から入射されＣＣＤイメージセンサー３上に形成される被写体像の焦点状態を変化させるためのレンズである。フォーカスレンズのレンズ構成は何枚でも何群でもよい。フォーカスレンズ駆動部２８は、レンズコントローラー２３の制御に基づいてフォーカスレンズ２７を光学系の光軸に沿って進退するように駆動する。フォーカスリング２６は交換レンズ３１の外装に設けられている。フォーカスリング２６は使用者の操作に応じてフォーカスレンズ２７を駆動させる。フォーカスリング２７が使用者によって操作されると、操作に関する信号がレンズコントローラー２３に出力される。レンズコントローラー２３は、入力された操作に関する信号に応じて、フォーカスレンズ駆動部を駆動する。
【００３０】
レンズコントローラー２３は交換レンズ３１全体を制御する。レンズコントローラー２３は、ハードワイヤードな電子回路で構成してもよいし、プログラムを用いたマイクロコンピューターなどで構成してもよい。
【００３１】
ＤＲＡＭ２９は、レンズコントローラー２３が制御の際にワークメモリとして使用される。また、フラッシュメモリ３０は、レンズコントローラー２３の制御の際に使用するプログラムやパラメータを保存する。
【００３２】
〔１−４．    カメラ本体背面の構成〕
図２は、カメラ本体２の背面図である。カメラ本体２の背面及び上面に各種釦が配置されている。また、カメラ本体２の背面には液晶モニタ１０や電子ビューファインダー９（ＥＶＦ）が配置されている。以下でカメラ本体２の背面における各構成の詳細を説明する。レリーズ釦１３、電子ビューファインダー９（ＥＶＦ）、液晶モニタ１０については上述の通りである。
【００３３】
電源スイッチ４１は、カメラ本体２の電源を入り切りするためのスライドスイッチである。カメラ本体２の電源が入ると、ボディマウント１７を介して交換レンズ３１にも電力が供給される。
【００３４】
撮影モードダイヤル４０は、カメラシステム１を各種撮影モードに設定するためのダイヤルである。各種撮影モードには、マニュアルモード、絞り優先モード、シャッタースピード優先モード、ポートレート撮影モード、風景撮影モード、マクロ撮影モード等が含まれる。
【００３５】
フォーカスモードダイヤル４７は、カメラシステム１のフォーカスモードを設定するためのダイヤルである。フォーカスモードには、自動で被写体に焦点を合わせるオートフォーカスモードと、使用者が手動で焦点を調節できるマニュアルフォーカスモードが含まれる。オートフォーカスモードには、レリーズ釦１３半押し時に合焦するＡＦＳ（Ａｕｔｏ  Ｆｏｃｕｓ  Ｓｉｎｇｌｅ）モードと、被写体の動きに合わせて連続的に合焦するＡＦＣ（Ａｕｔｏ  Ｆｏｃｕｓ  Ｃｏｎｔｉｎｕｏｕｓ）モードが含まれる。
【００３６】
十字釦４５は上釦、右釦、下釦及び左釦を含む。上釦を押下操作すると、カメラコントローラー６は、液晶モニタ１０上に表示されているカーソルを上方向に移動させる等の制御を行う。右釦は、カーソルを右方向に移動させるなどの指示を与えるための操作手段である。下釦は、カーソルを下方向に移動させるなどの指示を与えるための操作手段である。左釦は、カーソルを左方向に移動させるなどの指示を与えるための操作手段である。
【００３７】
決定釦４４は、液晶モニタ１０で表示されている選択項目を決定するための押下釦である。再生釦４２は、フラッシュメモリ８やメモリカード１２に記憶された画像データの再生表示を実行するための釦である。削除釦４６は、画像データをフラッシュメモリ８やメモリカード１２から削除するための押下釦である。画面釦４３は、液晶モニタ１０の表示方法を変更するための押下釦である。画面釦４３の押下操作に応じて、液晶モニタ１０は画面上にガイドラインを表示させたり、表示を停止させたりする。
【００３８】
〔１−５．    本発明との対応〕
ＣＣＤイメージセンサー３は、本発明の撮像手段の一例である。液晶モニタ１０は、本発明の表示手段の一例である。十字釦４５の左キーとカメラコントローラー６とからなる構成は、本発明の拡大指示受付手段の一例である。カメラマウント１７とカメラコントローラー６とからなる構成は、本発明の情報取得手段の一例である。カメラコントローラー６は、本発明の表示制御手段の一例である。
【００３９】
〔２．    動作〕
〔２−１．    撮像準備動作〕
まず、撮像準備のためのカメラシステム１の動作を説明する。図３は、カメラシステム１の撮像準備動作を説明するための信号送受信を示す図である。
【００４０】
カメラ本体２に交換レンズ３１を装着した状態で、使用者が、カメラ本体２の電源を入れると、電源１６は、ボディマウント１７及びレンズマウント１８を介して、交換レンズ３１に電力を供給する（Ｓ１１）。次に、カメラコントローラー６は、レンズコントローラー２３に対して、交換レンズ３１の認証情報を要求する（Ｓ１２）。ここで、交換レンズ３１の認証情報には、交換レンズ３１が装着されているか否かに関する情報及びアクセサリーが装着されているか否かに関する情報が含まれる。レンズコントローラー２３は、カメラコントローラー６からのレンズ認証要求に応答する（Ｓ１３）。
【００４１】
次に、カメラコントローラー６は、レンズコントローラー２３に対して、初期化動作をするよう要求する（Ｓ１４）。これを受けて、レンズコントローラー２３は、絞りのリセット、ＯＩＳレンズ２４のリセット等の初期化動作を行う。そして、レンズコントローラー２３は、カメラコントローラー６に対して、レンズ初期化動作が完了した旨を返信する（Ｓ１５）。
【００４２】
次に、カメラコントローラー６は、レンズコントローラー２３に対して、レンズデータを要求する（Ｓ１６）。レンズデータは、フラッシュメモリ３０に格納されている。そこで、レンズコントローラー２３は、フラッシュメモリ３０からレンズデータを読み出して、カメラコントローラー１４０に返信する（Ｓ１７）。ここで、レンズデータとは、レンズ名称、Ｆナンバー、焦点距離等の交換レンズ３１特有の特性値である。
【００４３】
カメラコントローラー６が、カメラ本体２に装着されている交換レンズ３１のレンズデータを把握すると、撮像可能な状態になる。この状態では、カメラコントローラー６は、レンズコントローラー２３に対して、交換レンズ３１の状態を示すレンズ状態データを定期的に要求する（Ｓ１８）。レンズ状態データは、例えば、ズームレンズ２０によるズーム倍率情報、フォーカスレンズ２７の位置情報、絞り値情報などが含まれる。この要求に応えて、レンズコントローラー２３は、カメラコントローラー６に対して、要求されたレンズ状態データを返信する（Ｓ１９）。
【００４４】
また、この状態では、カメラシステム１は、ＣＣＤイメージセンサー３で生成した画像データが示す画像をスルー画像として液晶モニタ１０に表示する制御モードで動作し得る。この制御モードをライブビューモードという。ライブビューモードでは、スルー画像が動画で液晶モニタ１０に表示されるので、使用者は、液晶モニタ１０を見ながら静止画像を撮像するための構図を決めることができる。ライブビューモードとするかどうかは使用者が選択可能である。ライブビューモードの他に、使用者が選択できる制御モードとしては、交換レンズ３１からの被写体像を電子ビューファインダー（ＥＶＦ）に導く制御モードもある。ライブビューモードにおけるオートフォーカス動作の方式としては、コントラスト方式が適している。ライブビューモードでは、定常的に、ＣＣＤイメージセンサー３で画像データを生成しているので、その画像データを用いたコントラスト方式のオートフォーカス動作が容易のためである。
【００４５】
コントラスト方式のオートフォーカス動作を行う際には、カメラコントローラー６は、レンズコントローラー２３に対して、コントラストＡＦ用データを要求する（Ｓ２０）。コントラストＡＦ用データは、コントラスト方式のオートフォーカス動作の際に必要なデータであり、例えば、フォーカス駆動速度、フォーカスシフト量、像倍率、コントラストＡＦ可否情報などが含まれる。
【００４６】
〔２−２．    マニュアル・アシスト動作〕
マニュアル・アシスト動作とは、マニュアルフォーカス時に、被写体像のフォーカス状態を使用者が確認しやすいように、フォーカスエリアの拡大画像を液晶モニタ１０に表示する動作である。以下、図４に示すフローチャートを用いて、本発明の実施の形態１であるカメラシステム１のマニュアル・アシスト動作を詳細に説明する。
【００４７】
使用者がカメラシステム１にマニュアル・アシスト動作を行うように設定しているとき、カメラシステム１は本発明の動作を行う。前述した通り、カメラ本体２に備わるカメラコントローラー６と、交換レンズ３１に備わるレンズコントローラー２３はボディマウント１７とレンズマウント１８を介して通信している。カメラ本体２の動作がマニュアルフォーカスモードに設定されている時、カメラコントローラー６は、交換レンズ３１に備わるフォーカスリング２６の操作に関する情報をレンズコントローラー２３がカメラコントローラー６に出力可能かどうかを予め把握しておく。
【００４８】
フォーカスリング２６が操作された場合において（Ｓ３１）、さらに、カメラコントローラー６がフォーカスリング２６の操作に関する情報を取得できる場合（Ｓ３２）、カメラコントローラー６は、フォーカスリング２６が操作されたか否かを監視し、フォーカスリング２６が操作されるのに応じて、フォーカスエリア付近の画像をズームアップ表示するよう液晶モニタ１０を制御する（Ｓ３３）。
【００４９】
図６にズームアップ表示のイメージ図を示す。フレームＤ１は通常の画像表示であり、点線枠Ｄ２はフォーカスエリアであり、フレームＤ３はズームアップ画像表示である。通常の画像表示時においても、ズームアップ画像表示時においても、使用者は、十字釦４５の操作によりフォーカスエリアＤ２を液晶モニタ１０の表示内で移動可能である。使用者による十字釦４５操作をカメラコントローラー６が受け付けている間、カメラコントローラー６はズームアップ画像表示を継続するよう液晶モニタ１０を制御する。
【００５０】
また、カメラコントローラー６は、ズームアップ表示中に前ダイヤル１４が操作されると、フォーカスエリアのズームアップ表示の倍率を変更する。
【００５１】
更に、液晶モニタ１０は、ズームアップ画像とともにズームアップされている画像エリアと元の画像との位置関係を表す情報を表示する。図６のフレームＤ４は元の画像を表し、点線枠Ｄ５はズームアップされている画像エリアを表す。
【００５２】
カメラコントローラー６は、ズームアップ表示中にレリーズ釦１３が半押し操作されると（Ｓ３４）、画像を元に戻しズームアップ表示を終了するよう液晶モニタ１０を制御する（Ｓ３６）。また、カメラコントローラー６は、ズームアップ表示中にレリーズ釦１３が半押し操作されなかった場合であっても、使用者の無操作時間が所定時間経過した後に（Ｓ３５）、画像を元に戻しズームアップ表示を終了するよう液晶モニタ１０を制御する（Ｓ３６）。
【００５３】
これにより、フォーカスエリア付近の画像を一度ズームアップ表示したものの、一定時間使用者がマニュアルフォーカス操作を行わなかった場合に、液晶モニタ１０はズームアップ表示を終了し、元の画像表示に戻る。そのため、使用者は所定時間の経過を待つことにより自ら拡大表示の解除操作を行わなくてよい。そして、使用者の次回の撮影操作時には、液晶モニタ１０の表示が元の画像表示に戻っているため、使用者は素早く次の撮影を行うことができる。
【００５４】
一方、フォーカスリング２６が操作された場合において、さらに、カメラコントローラー６がフォーカスリング２６の操作に関する情報を取得できない場合（Ｓ３２）、カメラコントローラー６は、フォーカスリング２６が操作されたとしてもそれを検知できないので、液晶モニタ１０に表示されている画像を拡大できない。
【００５５】
〔２−３．    カメラボディ操作によるズームアップ表示動作〕
図５を用いて、カメラボディ２側の操作によるズームアップ表示動作について説明する。マニュアル・アシスト動作のモードが設定されており、撮像モード中において、十字釦４５の左キーが押下操作されると（Ｓ４１）、カメラコントローラー６は、装着されている交換レンズの種類に関わらず、現在表示されている画像を拡大するよう液晶モニタ１０を制御する（Ｓ３３）。このときのズームアップ表示動作については、上述のフォーカスリング２６の操作に応じてなされるズームアップ表示動作と同様である。
【００５６】
この場合、カメラコントローラー６は、所定時間経過後であっても、レリーズ釦１３または決定釦４４の押下操作されるまで（Ｓ３４）、ズームアップ表示動作を解除しない。
【００５７】
これにより、フォーカスリングの操作に関する情報を送信しない交換レンズが装着された場合であっても、使用者の操作によりズームアップ表示動作を開始できる。さらに、所定時間経過後であっても、使用者の意志に基づいてズームアップ表示動作を解除しない限り、ズームアップ表示動作は解除されないので、フォーカスリングを操作中にも関わらずズームアップ表示動作が終了してしまうということを防止できる。
【００５８】
仮に、フォーカスリングの操作に応じたズームアップ動作と同様に、ズームアップ動作が開始されてから所定時間が経過するとズームアップ動作を自動的に終了するとした場合、フォーカスリングを操作中にも関わらずズームアップ表示動作が終了してしまうという事態が発生し得る。このような事態が生じたのでは、使用勝手が悪くなってしまう。
【００５９】
〔３．    まとめ〕
以上のように、本発明の実施の形態１にかかるカメラボディ２は、光学系で形成する被写体像のフォーカス状態を変更するためのフォーカスリングが操作された旨を示す情報を出力可能な第１の交換レンズ、及びフォーカスリングが操作された旨の情報を出力しない第２の交換レンズを択一的に着脱可能なカメラボディ２である。カメラボディ２は、ＣＣＤイメージセンサー３と、液晶モニタ１０と、十字釦４５の左キーと、カメラコントローラー６と、カメラマウント１７とを備える。ＣＣＤイメージセンサー３は、第１の交換レンズまたは第２の交換レンズが装着された状態で、第１の交換レンズまたは第２の交換レンズにより形成された被写体像を撮像し画像データを生成する。液晶モニタ１０は、生成された画像データに基づく画像を表示する。十字釦４５の左キーとカメラコントローラー６とからなる構成は、生成された画像データに基づく画像を拡大して表示する旨の画像拡大指示を受け付ける。カメラマウント１７とカメラコントローラー６とからなる構成は、第１の交換レンズが装着された状態で、フォーカスリングが操作された旨を示す情報を第１の交換レンズから取得する。そして、カメラコントローラーは、第１の交換レンズが装着された状態で、カメラコントローラー６がフォーカスリングが操作された旨を示す情報を取得した場合、その情報を取得したときから所定時間が経過するまで画像を拡大して表示し、所定時間経過後に元の大きさに戻して表示するよう液晶モニタ１０を制御する。一方、カメラコントローラー６は、十字釦４５の左キーを介して画像拡大指示を受け付けた場合、その指示が解除されるまで画像を継続して拡大表示するよう液晶モニタ１０を制御する。
【００６０】
このように、交換レンズ側のフォーカスリングに対する操作に応じて表示画像を拡大する場合には、所定時間経過後、拡大画像表示動作を解除する。一方、カメラ本体側の操作に応じて表示画像を拡大する場合には、時間経過による拡大画像表示動作の解除を実行しない。
【００６１】
これにより、フォーカスリングの操作に関する情報を送信する交換レンズを装着した場合には、自動で拡大画像表示動作を解除できるので操作性がよい。また、フォーカスリングの操作に関する情報を送信しない交換レンズを装着した場合であっても、拡大画像表示動作を可能とするとともに、フォーカスリングの操作中に使用者の意志に反して拡大画像表示動作が解除されてしまうということを防止できる。
【００６２】
そのため、レンズ交換式であっても、マニュアルフォーカス操作により、より精度良くフォーカスを合わせることができるとともに、使い勝手を向上させることができる。
【００６３】
〔他の実施の形態〕
本発明の実施の形態１では、ズームレンズ２０及びＯＩＳレンズ２４を有する構成を例示したが、これらは本発明に必須の構成ではない。同様に、ぶれ補正機能を有さない交換レンズを装着したカメラシステムにも本発明は適用可能である。
【００６４】
また、本発明の実施の形態１では、可動ミラーを備えないカメラ本体を例示したが、本発明はこれに限定されない。例えば、カメラ本体内に可動ミラーを備えてもよいし、被写体像を分けるためのプリズムを備えてもよい。また、カメラ本体内ではなくアダプター内に可動ミラーを備える構成でもよい。
【００６５】
また、本発明の実施の形態１では、カメラコントローラー６は、カメラボディ２側で画像拡大の指示を受け付けると、装着されている交換レンズの種類に関わらず、現在表示されている画像を拡大するよう液晶モニタ１０を制御するようにした。しかし、本発明はこれに限定されない。例えば、カメラコントローラー６は、カメラボディ２側で画像拡大の指示を受け付けると、装着されている交換レンズがフォーカスリングの操作に関する情報を送信しない交換レンズである場合に限って、現在表示されている画像を拡大するよう液晶モニタ１０を制御するようにしてもよい。この場合、装着されている交換レンズがフォーカスリングの操作に関する情報を送信する交換レンズである場合、カメラボディ２側で画像拡大が指示されても、その指示を受け付けず、無効とするのが好ましい。これにより、フォーカスリングの操作に関する情報を送信する交換レンズが装着されている場合には、マニュアルフォーカス操作がされているときのみにマニュアル・アシスト機能が動作するので、使用者が操作に関して混乱するのを防ぐことができる。
【００６６】
また、本発明の実施の形態１では、十字釦４５の左キーが押下操作されるのに応じてズームアップ表示動作が開始されるとしたが、これには限定されない。例えば、音声センサーやタッチセンサーの検出結果に応じてズームアップ表示動作を開始するようにしてもよい。要するに、カメラボディ２側の操作に応じてズームアップ表示動作が開始されるようにすればよい。
【００６７】
また、本発明の実施の形態１では、レリーズ釦１３を押下操作することにより、ズームアップ動作が解除されるとしたが、これには限らない。例えば、十字釦４５やディスプレイ釦４３が押下操作されることにより、ズームアップ動作が解除されるとしてもよい。要するに、使用者の意志でズームアップ動作が解除されるようにすればよい。
【産業上の利用可能性】
【００６８】
本発明はデジタルカメラに限らない。例えばデジタルムービーカメラや、カメラ機能付き携帯電話等、画像を撮像する機器であれば適用することができる。要するに、レンズ交換式の撮像装置であれば適用可能である。
【図面の簡単な説明】
【００６９】
【図１】本発明の実施の形態１に係る撮像装置の電気的構成を示すブロック図
【図２】本発明の実施の形態１に係る撮像装置の背面図
【図３】本発明の実施の形態１に係る撮像装置の撮像準備動作の説明図
【図４】本発明の実施の形態１に係る撮像装置のマニュアル・アシスト動作のフローチャート
【図５】本発明の実施の形態１に係る撮像装置のマニュアル・アシスト動作のフローチャート
【図６】本発明の実施の形態１に係る撮像装置のズームアップ動作イメージ図
【符号の説明】
【００７０】
１    カメラシステム
２    カメラ本体
３    ＣＣＤイメージセンサー
６    カメラコントローラー
９    電子ビューファインダー（ＥＶＦ）
１３    レリーズ釦
１４    前ダイヤル
１７    ボディマウント
１８    レンズマウント
１９    ズームリング
２０    ズームレンズ
２３    レンズコントローラー
２４    ＯＩＳレンズ
２６    フォーカスリング
２７    フォーカスレンズ
３１    交換レンズ
４１    電源スイッチ
【図１】
2010141778.tif 000003
【図２】
2010141778.tif 000004
【図３】
2010141778.tif 000005
【図４】
2010141778.tif 000006
【図５】
2010141778.tif 000007
【図６】
2010141778.tif 000008